(57)【要約】【課題】  読み取った原稿を蓄積し、その原稿の画像データを、実際の出力の前に確認することができる確認表示モードを備える画像形成装置を提供する。【解決手段】  液晶タッチパネル３１に、蓄積画像データ（蓄積文書も含む）のユーザ名、ファイル名、月日の項目をリスト形式により表示することで、ユーザが任意の画像データを選択することができる。液晶タッチパネル３１には、図示すように、リストキー４０およびサムネイルキー４１の表示がある。液晶タッチパネル３１上部に示すリストキー４０、又はサムネイルキー４１を押下することで、ユーザは蓄積文書の表示形式を選択し、切り替えることが可能となる。【選択図】  図３
2006332868.tif 000002
【特許請求の範囲】
【請求項１】
画像読み取りの動作設定を入力する操作手段と、
原稿の画像データを読み取る手段と、
前記読み取った画像データとその属性を蓄積する手段と、
前記蓄積された画像データを視認できるサムネイルを表示する手段と、
前記蓄積された画像データのより詳細な情報を一覧できるリストを表示する手段と、
前記サムネイル表示手段と、前記リスト表示手段を切り替える手段と、を有する画像形成装置。
【請求項２】
前記リスト表示手段とサムネイル表示手段とで、一度に表示できる一覧画像データ数が異なるときは、前記切り替え前後で各表示画面内の先頭の画像データが同一となるように表示することを特徴とする請求項１記載の画像形成装置。
【請求項３】
前記リスト表示手段とサムネイル表示手段の切り替え結果を電源OFF時も保持し、電源ON時は前回の表示形式を引き継ぐことを特徴とする請求項１又は２記載の画像形成装置。
【請求項４】
画像読み取りの動作設定を入力する操作工程と、
原稿の画像データを読み取る工程と、
前記読み取った画像データとその属性を蓄積する工程と、
前記蓄積された画像データを視認できるサムネイルを表示する工程と、
前記蓄積された画像データのより詳細な情報を一覧できるリストを表示する工程と、
前記サムネイル表示工程と、前記リスト表示工程を切り替える工程と、を有する画像表示方法。
【請求項５】
前記リスト表示工程とサムネイル表示工程とで、一度に表示できる一覧画像データ数が異なるときは、前記切り替え前後で各表示画面内の先頭の画像データが同一となるように表示することを特徴とする請求項４記載の画像表示方法。
【請求項６】
前記リスト表示工程とサムネイル表示工程の切り替え結果を電源OFF時も保持し、電源ON時は前回の表示形式を引き継ぐことを特徴とする請求項４又は５記載の画像表示方法。
【発明の詳細な説明】
【技術分野】
【０００１】
本発明は、画像形成装置および画像表示方法に関し、特に読み取った原稿を実際の出力の前に確認することができる確認表示モードを備える画像形成装置および画像表示方法に関する。
【背景技術】
【０００２】
従来、プリンタ、ＦＡＸ、スキャナ等からの画像データ及び文書情報を画像形成装置に読み取り蓄積し、任意の時に呼び出し印刷可能とする技術が実用化している。蓄積文書の出力は、操作パネルから行う他、ネットワークを介して接続されている機器からも操作可能な画像形成装置も提案されている。ネットワーク上のＰＣ等からＷＥＢブラウザを通じて出力する際、画像データ印刷に関する各種設定値の参照や変更が可能になっている。
【０００３】
このように多様な機能を有する画像形成装置においては、その操作や設定が煩雑になりがちである。そこで各ユーザにおける操作性を著しく向上させる画像形成装置が提案されている。例えば、ネットワークを介した遠隔操作によって各ユーザが操作画面に表示されるボタンの配置や大きさ、表示／非表示等のレイアウトを自分の希望通りにカスタマイズできる技術が提案されている（特許文献１）。
【特許文献１】特開２００５−５７６１７号公報
【発明の開示】
【発明が解決しようとする課題】
【０００４】
しかしながら、上記のような技術には、以下の問題点がある。
【０００５】
近年、画像形成装置を操作する際において、各ユーザが使用する可能性の高い操作画面を優先的に表示したり、操作画面のレイアウトを可能としたりしているが、画像形成装置の蓄積された画像データは膨大な量になっていることが多々あり、出力の際に、従来の操作画面では希望の画像データを選択することが困難な場合がある。
【０００６】
本発明はこのような状況に鑑みてなされたものであり、蓄積された画像データを一覧表示させる形式として、リスト表示、サムネイル表示の２種類に対応することを目的とする。
【課題を解決するための手段】
【０００７】
請求項１記載の発明は、画像読み取りの動作設定を入力する操作手段と、原稿の画像データを読み取る手段と、前記読み取った画像データとその属性を蓄積する手段と、前記蓄積された画像データを視認できるサムネイルを表示する手段と、前記蓄積された画像データのより詳細な情報を一覧できるリストを表示する手段と、前記サムネイル表示手段と、前記リスト表示手段を切り替える手段と、を有する画像形成装置である。
【０００８】
請求項２記載の発明は、請求項１記載の装置において、前記リスト表示手段とサムネイル表示手段とで、一度に表示できる一覧画像データ数が異なるときは、前記切り替え前後で各表示画面内の先頭の画像データが同一となるように表示することを特徴とする。
【０００９】
請求項３記載の発明は、請求項１又は２記載の装置において、前記リスト表示手段とサムネイル表示手段の切り替え結果を電源OFF時も保持し、電源ON時は前回の表示形式を引き継ぐことを特徴とする。
【００１０】
請求項４記載の発明は、画像読み取りの動作設定を入力する操作工程と、原稿の画像データを読み取る工程と、前記読み取った画像データとその属性を蓄積する工程と、前記蓄積された画像データを視認できるサムネイルを表示する工程と、前記蓄積された画像データのより詳細な情報を一覧できるリストを表示する工程と、前記サムネイル表示工程と、前記リスト表示工程を切り替える工程と、を有する画像表示方法である。
【００１１】
請求項５記載の発明は、請求項４記載の方法において、前記リスト表示工程とサムネイル表示工程とで、一度に表示できる一覧画像データ数が異なるときは、前記切り替え前後で各表示画面内の先頭の画像データが同一となるように表示することを特徴とする。
【００１２】
請求項６記載の発明は、請求項４又は５記載の方法において、前記リスト表示工程とサムネイル表示工程の切り替え結果を電源OFF時も保持し、電源ON時は前回の表示形式を引き継ぐことを特徴とする。
【発明の効果】
【００１３】
本発明によれば、ユーザの指示により、蓄積された画像データの一覧をリスト表示またはサムネイル表示させることで、ユーザは実際の出力前に任意の画像データを選択することができる。
【発明を実施するための最良の形態】
【００１４】
以下に、本発明の実施形態に係る画像形成装置及び画像表示方法を、図面を用いて詳細に説明する。
【００１５】
図１に、本発明の実施形態に係る画像形成装置の概略図を示す。
【００１６】
画像形成装置上部の自動原稿送り装置（以後ＡＤＦ）１にある、原稿台２に原稿の画像面を上にして置かれた原稿束は、操作部３０（図２）上のプリントキー３４（図２）が押下されると、一番下の原稿から給送ローラ３、給送ベルト４によってコンタクトガラス６上の所定の位置に給送される。一枚の原稿を給送完了により原稿枚数をカウントアップするカウント機能を有している。読み取りユニット５０によってコンタクトガラス６上の給送された原稿の画像データを読み取る。読み取りが終了した原稿は、給送ベルト４及び排送ローラ５によって排出される。さらに、原稿セット検知７にて原稿台２に次の原稿が有ることを検知した場合、次の原稿は前原稿と同様にコンタクトガラス６上に給送される。給送ローラ３、給送ベルト４、排送ローラ５は搬送モータ２６（図３）によって駆動される。
【００１７】
原稿読み取りから、画像の書き込みまでを説明する。読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー及び第３ミラー５５は図示しない第２キャリッジ上に固定されている。原稿像を読み取るときには、光路長が変わらないように、第１キャリッジ第２キャリッジとが２対１の相対速度で機械的に操作される。この光学走査系は、図示しないスキャナ駆動モータにて駆動される。原稿画像は、ＣＣＤイメージセンサ５４によって読み取られ、電気信号に変換されて処理される。書き込みユニット５６はレーザ出力ユニット５７、結像レンズ５９、ミラー６０で構成され、レーザ出力ユニット５７の内部には、レーザ光源であるレーザダイオード及びモータによって高速で定速回転する多角形ミラー（ポリゴンミラー）が備わっている。書き込みユニット５６から出力されるレーザ光が、画像作像系の感光体１５に照射される。図示しないが感光体１５の一端近傍のレーザビームを照射される位置に、主走査同期信号を発生するビームセンサが配置されている。
【００１８】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。レーザ出力ユニット５７からのレーザが結像レンズ５９を通り、ミラー５９に反射する。該書き込みユニット５６からのレーザによって、読み取りユニット５０で読み込まれた画像データは、感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００１９】
後処理装置のフィニシャ１００は、本体の排紙ユニット１８によって搬送された転写紙を、通常排紙搬送ローラ１０２方向と、ステープル処理部方向へ導く事ができる。分岐偏向板１０１を上に切り替える事により、排紙搬送ローラ１０２を経由して通常排紙トレイ１０３側に排紙する事ができる。また、分岐偏向板１０１を下方向に切り替える事で、ステープラ搬送ローラ１０４を経由して、ステープル・トレイ１０６に搬送する事ができる。ステープル・トレイ１０６に積載された転写紙は、一枚排紙されるごとに紙揃え用のジョガー１０７によって、紙端面が揃えられ、一部のコピー完了と共にステープラ１０５によって綴じられる。ステープラ１０５で綴じられた転写紙群は自重によって、ステープル完了排紙トレイ１０８に収納される。一方、通常の排紙トレイ１０３は前後に移動可能な排紙トレイである。前後に移動可能な排紙トレイ１０３は、原稿毎、あるいは、画像メモリによってソーティングされたコピー部毎に、前後に移動し、簡易的に排出されてくるコピー紙を仕分けるものである。
【００２０】
転写紙の両面に画像を作像する場合は、各給紙トレイ８〜１０から給紙され作像された転写紙を排紙トレイ１０３側に導かないで、経路切り替えの為の分岐偏向板１０１を上側にセットする事で、両面入紙搬送路１１１を通り、反転ユニット１１０へ送られる。反転ユニット１１０で反転した後、両面搬送ユニット１０９にストックされた転写紙は再び感光体１５に作像されたトナー画像を転写するために、両面搬送ユニット１０９から再給紙される。トナー画像を転写した後、経路切り替えの為の分岐偏向板１０１を下側にセットし、排紙トレイ１０３に導く。この様に転写紙の両面に画像を作成する場合に両面搬送ユニット１１１は使用される。
【００２１】
感光体１５、搬送ベルト１６、定着ユニット１７、排紙ユニット１８、現像ユニット２７はメインモータ２５（図３）によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００２２】
図２は、本発明の実施形態に係る画像形成装置の操作部の一例を示す図である。
【００２３】
画像形成装置の操作部とは、液晶タッチパネル３１、テンキー３２、クリア／ストップキー３３、プリントキー３４、予熱キー３５、リセットキー３６、初期設定キー３７、コピーキー３８、コピーサーバキー３９を有し、液晶タッチパネル３１には、各種機能キー及び画像形成装置の状態を示すメッセージなどが表示される。図３でのエラーも、ここで確認、再交換を促すメッセージが表示される。通常時は、ユーザが液晶タッチパネル３１に表示されたキーにタッチする事で、選択された機能を示すキーが黒く反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。初期設定キー３７を押す事で、機械の初期状態を任意にカスタマイズする事が可能である。機械が収納している用紙サイズの設定や、コピー機能のリセットキーを押したときに設定される状態を任意に設定することが可能である。また、一定時間操作がないときに優先して選択されるアプリケーション等も選択する事、国際エネルギースター計画に従った低電力への移行時間の設定や、オートオフ／スリープモードへの移行する時間を設定する事が可能である。予熱キー３５を押すと、機械は待機状態から、電力低減状態に移行し、定着温度を低下させたり、操作部の表示を消灯する。予熱状態は、国際エネルギースター計画で言う、低電力状態を意味している。また、予熱状態、オフ状態／スリープ状態を解除し、待機状態に移行させるには、この予熱キーを再度押下する。
【００２４】
図３は、本発明の実施形態に係る液晶タッチパネル３１に表示される蓄積画像データ（蓄積文書も含む）のリスト形式を示したものである。図に示すように、ユーザ名、ファイル名、月日の項目を表示することで、ユーザが任意の画像データを選択することができる。なお、該項目はこれらに限られるものではなく、この他にもユーザが画像データを選択する際に識別するため必要な情報を項目とすることが考えられる。液晶タッチパネル３１には、図示すように、リストキー４０およびサムネイルキー４１の表示がある。本実施例では、リストキー４０が黒く反転している。サムネイルキー４１を押下すると図４に示すように、リスト表示からサムネイル表示に切り替わる。図３の右下にある上下キー４３は表示しきれないリストの次頁若しくは前頁を表示する場合に押下する。上下キー４３の上部に表示されている数字は、液晶パネルに表示されているリストが、全リスト表示頁のうち何頁目に位置するかを示す表示である。
【００２５】
図４は、本発明の実施形態に係る液晶タッチパネル３１に表示される蓄積画像データ（蓄積文書も含む）のサムネイル形式を示したものである。本実施形態では、各画像データが縮小され表示され、その下にファイル名等が表示されている。図３のリスト表示と同じように、液晶タッチパネル３１上部に示すリストキー、又はサムネイルキーを押下することで、ユーザは蓄積文書の表示形式を選択し、切り替えることができる。
【００２６】
図５は、本発明の実施形態に係るリスト形式とサムネイル形式を切り替える時の画面表示動作を示す図である。本実施形態のように、リスト形式にて１画面に８文書を、サムネイル形式にて６文書と、各々の形式において一度に表示できる一覧表示部分４５が異なることも考えられる。このような場合、図５の通り、切り替え前後で表示画面内の先頭の文書が同一となるように表示する為、先頭文書から画面を繰った場合と異なる範囲の文書、ページ数を示すこともある。先頭文書からページを繰る時の最大ページ数と異なった最大ページ数を示す時は、先頭文書、または最後尾文書までページを繰った時に、先頭文書からページを繰る時の最大ページ数に補正される。また、リスト表示とサムネイル表示の切り替え結果を電源OFF時も保持し、電源ON時は前回の表示形式を引き継いで表示する。
【図面の簡単な説明】
【００２７】
【図１】本発明の実施形態に係る画像形成装置の概略図を示す。
【図２】本発明の実施形態に係る画像形成装置の操作部の一例を示す図である。
【図３】本発明の実施形態に係る液晶タッチパネルにおいて蓄積画像データをリスト形式で表示した図である。
【図４】本発明の実施形態に係る液晶タッチパネルにおいて蓄積画像データをサムネイル形式で表示した図である。
【図５】本発明の実施形態に係るリスト形式とサムネイル形式を切り替える時の画面表示動作を示す図である。
【符号の説明】
【００２８】
１    自動原稿送り装置（ＡＤＦ）
２    原稿台
３    給送ローラ
４    給送ベルト
５    排送ローラ
６    コンタクトガラス
７    原稿セット検知
８    第１トレイ
９    第２トレイ
１０    第３トレイ
１１    第１給紙装置
１２    第２給紙装置
１３    第３給紙装置
１４    縦搬送ユニット
１５    感光体
１６    搬送ベルト
１７    定着ユニット
１８    排紙ユニット
３０    操作部
３１    液晶タッチパネル
３２    テンキー
３３    クリア／ストップキー
３４    プリントキー
３５    予熱キー
３６    リセットキー
３７    初期設定キー
３８    コピーキー
３９    コピーサーバキー
４０、４３    リストキー
４１、４４    サムネイルキー
４２    上下キー
４５    一覧表示部分
４９    画像処理ユニット（ＩＰＵ）
５０    読み取りユニット
５１    露光ランプ
５２    第１ミラー
５３    レンズ
５４    ＣＣＤイメージセンサ
５５    第２ミラー及び第３ミラー
５６    書き込みユニット
５７    レーザ出力ユニット
５８    結像レンズ
５９    ミラー
１００    フィニシャ
１０１    分岐偏向板
１０２    排紙搬送ローラ
１０３    排紙トレイ
１０４    ステープラ搬送ローラ
１０５    ステープラ
１０６    ステープル・トレイ
１０７    ジョガー
１０８    ステープル完了排紙トレイ
１０９    両面搬送ユニット
１１０    反転ユニット
１１１    両面入紙搬送路
１１２    反転排紙搬送路
【図１】
2006332868.tif 000003
【図２】
2006332868.tif 000004
【図３】
2006332868.tif 000005
【図４】
2006332868.tif 000006
【図５】
2006332868.tif 000007